(57)【要約】【課題】  非接触 ＩＣカードをユーザの自然な運用に応じて動作又は動作制限状態にすることを可能にすることを目的とする。【解決手段】  無線によりアンテナ装置２０３から受信された信号は、無線通信回路２０４を介してディジタル信号に変換され、論理回路２０２に入力される。論理回路２０２は、受信した信号に応じて受動的あるいは自発的に、通信状態維持のための信号や認証のための応答や内部に蓄積された情報や計算結果などを、無線通信回路２０４を介してアンテナ装置２０３から無線により発信する。このような非接触のＩＣカード通信装置２００において、本発明のＩＣカードは、光センサ２０１を内蔵し、前述ＩＣカードの論理回路２０２と結合することで外部の環境を識別し、識別結果に基づいてＩＣカードの通信を制限する。【選択図】図１
2005032161.tif 000002
【特許請求の範囲】
【請求項１】
無線によりアンテナ装置から受信された信号を、無線通信回路を介して論理回路に入力すると共に、該論理回路は、受信した信号に応じて受動的あるいは自発的に、通信状態維持のための信号や認証のための応答や内部に蓄積された情報や計算結果などを、無線通信回路を介してアンテナ装置から無線により発信する非接触 ＩＣカードにおいて、
前記論理回路に光センサ結合することで外部の環境を識別し、識別結果に基づいてＩＣカードの通信を制限するよう構成した非接触 ＩＣカード。
【請求項２】
前記光センサは、CMOS素子による半導体センサであって、該光センサの計測値から周囲の明るさを判定し、これによって非接触 ＩＣカードを通常動作状態と動作制限状態とに切り替えるよう構成した請求項１に記載の非接触 ＩＣカード。
【発明の詳細な説明】
【技術分野】
【０００１】
本発明は、非接触 ＩＣカードに関し、特に、周囲の明るさによって通常動作状態と動作制限状態とに切り替えるよう構成した非接触 ＩＣカードに関するものである。
【背景技術】
【０００２】
一般に、非接触 ＩＣカードとは、これを非接触 ＩＣカード読取装置に近づけることによって、読取装置がカード内部に記録されたデータを読み取る機能を持つものである。
【０００３】
図２は従来の一般的な非接触 ＩＣカード１００の機能ブロック図である。この図において、１０２は論理回路、１０３はアンテナ装置、１０４は無線通信回路である。無線によりアンテナ装置１０３から受信された信号は、無線通信回路１０４を介してディジタル信号に変換され、論理回路１０２に入力される。論理回路は受信した信号に応じて受動的あるいは自発的に、通信状態維持のための信号や認証のための応答や内部に蓄積された情報や計算結果などを、無線通信回路１０４を介してアンテナ装置１０３から無線により発信する。
【０００４】
また、ＩＣカード内の回路にスイッチを設け動作を制限する非接触ＩＣカード通信装置が特許文献１により公知であり、かつ、媒体に設けられた押しスイッチにより動作を制限する非接触媒体および非接触媒体システムが特許文献２により公知である。
【０００５】
前述のような非接触ＩＣカードは、現在、クレジット決済や個人認証のみならず、各種チケットや定期券、プリペイドカードなどの代替として様々な利用が期待されている。しかし、非接触方式の利便性は、逆に意図しない情報の漏洩の危険も伴うものである。たとえば上着のポケットにカードを入れた財布を入れている場合、服の外側からリーダーを動作させることが可能である。これにより、カードの存在や個々の固有IDを取得可能であり、最悪の場合内部の情報へのアクセスすら可能となる。しかも非接触であるため、そうしたスキミング行為はカードの持ち主に気づかれることなく可能であり(満員電車で上着に鞄を押し付けられてだれが不審に思うだろうか?)、重大なプライバシーおよびセキュリティの問題として懸念されている。
【０００６】
【特許文献１】特開2001-076108号公報
【特許文献２】特開平11-085924号公報
【発明の開示】
【発明が解決しようとする課題】
【０００７】
非接触ＩＣカードは、読取装置との物理的な接触を必要としないため、持ち主が意図しない通信がおこなわれる恐れがある。たとえば、ＩＣカードの入った鞄とリーダーの入った鞄を並べて置くだけで通信が可能であるため、持ち主に気づかれることなくカードの存在や固有番号などの情報がたやすく漏れてしまう恐れがある。場合によっては、個人情報やカードの内部に蓄えられたクレジットカード情報や電子マネー情報などセキュリティが要求される情報も漏洩あるいは改竄の危険にさらされる。
【０００８】
本発明は、上記問題点を除去し、非接触 ＩＣカードをユーザの自然な運用に応じて動作又は動作制限状態にすることを可能にすることを目的とする。
【課題を解決するための手段】
【０００９】
本発明は非接触ＩＣカードに光センサを内蔵し、ポケットや財布に収められている状態と取り出された状態を識別することでＩＣカードの挙動を制限するものである。これにより、ユーザはカードを財布から取り出すというきわめて自然な行為によってカードの動作状態を切り替えることが可能となる。すなわち、暗い場所ではカードは外部からの非接触通信に対して一切の応答をしないかあるいは制限された応答のみをおこない、明るい場所では通常の応答をおこなうものである。
【００１０】
本発明は、上記目的を達成するために、〔１〕非接触 ＩＣカード通信 装置において、非接触 ＩＣカードがおかれた環境を識別する光センサを具備するようにしたものである。
〔２〕上記〔１〕記載の非接触 ＩＣカード通信 装置において、前記光センサ を、非接触 ＩＣカードの論理回路に接続するようにしたものである。
〔３〕上記〔１〕記載の非接触 ＩＣカード通信 装置において、論理回路は周囲の明るさに応じて通信を制限もしくは停止するものである。
【発明の効果】
【００１１】
本発明によれば、非接触 ＩＣカードに光センサ を設けることにより、明るさによって、非接触 ＩＣカードの動作を通常状態または制限状態にすることができる。これによって、利用者は収納されたカードを取り出して提示し、または収納するという自然な動作によって、意識することなくＩＣカードのセキュリティ状態を変化させることが可能となる。
【発明を実施するための最良の形態】
【００１２】
以下、本発明の実施の形態について図を参照しながら詳細に説明する。図１は本発明の非接触 ＩＣカード２００の機能ブロック図である。この図において、２０２は論理回路、２０３はアンテナ装置、２０４は無線通信回路である。無線通信回路２０４と論理回路２０２はＩＣチップとして一体成型することもできる。
【００１３】
無線によりアンテナ装置２０３から受信された信号は、無線通信回路２０４を介してディジタル信号に変換され、論理回路２０２に入力される。論理回路２０２は、受信した信号に応じて受動的あるいは自発的に、通信状態維持のための信号や認証のための応答や内部に蓄積された情報や計算結果などを、無線通信回路２０４を介してアンテナ装置２０３から無線により発信する。
【００１４】
このような非接触のＩＣカード通信装置２００において、本発明のＩＣカードは、光センサ２０１を内蔵し、前述ＩＣカードの論理回路２０２と結合することで外部の環境を識別し、識別結果に基づいてＩＣカードの通信を制限する。これは図２に例示の一般的な非接触ＩＣカードに、２０１の光センサを単一もしくは複数加えたものに相当する。
光センサ２０１の例としてCMOS素子による半導体センサが考えられる。光センサ２０１は論理回路２０２に接続されており、論理回路２０２は光センサ２０１の計測値から周囲の明るさを判定可能である。周囲の明るさが明るい場合、論理回路２０２は通常の応答、発信をおこなう。周囲の明るさが暗い場合、論理回路２０２は無線通信において一切の出力応答を行わないか、もしくは制限された情報についてのみ応答、出力する。
【００１５】
このように、この実施例によれば、非接触 ＩＣカードに光センサ２０１を設けることにより、周囲の明るさによって非接触 ＩＣカードを通常動作状態と動作制限状態とに切り替えることができる。
【００１６】
周囲の明るさは非接触 ＩＣカードを財布やポケットに収納する自然な運用に応じて変化するため、利用者は意識することなく通信を制限することができる。あるいは、非接触 ＩＣカードに蓋を取り付け、これを開閉することでも同様の運用が可能である。
【００１７】
なお、本発明は上記実施例に限定されるものではなく、本発明の趣旨に基づいて種々の変形が可能であり、これらを本発明の範囲から排除するものではない。本発明は、光センサの個数や配置位置、動作原理を限定せず、また、非接触 ＩＣカードそのものの形状も限定しない。
【図面の簡単な説明】
【００１８】
【図１】本発明の非接触 ＩＣカード２００の機能ブロック図である。
【図２】従来の一般的な非接触 ＩＣカード１００の機能ブロック図である。
【符号の説明】
【００１９】
１００，２００  ＩＣカード
２０１  光センサ
１０２，２０２  論理回路
１０３，２０３  アンテナ装置
１０４，２０４  無線通信回路
【図１】
2005032161.tif 000003
【図２】
2005032161.tif 000004